(57)【要約】【課題】一対のスリッパにおけるスリッパ底面同士を密着させてその状態を維持可能とすることで、収納スペースの確保を実現した清潔なスリッパの提供を図る。【解決手段】各スリッパ底面に磁石やベルクロファスナー等といった取付具を設けることで、一対のスリッパにおけるスリッパ底面同士を密着させてその状態が維持可能である構成を採用する。【選択図】図１
0003115585.tif 000002
【実用新案登録請求の範囲】
【請求項１】
各スリッパ底面に取付具を設けることで、一対のスリッパにおけるスリッパ底面同士を密着させてその状態が維持可能であることを特徴とする清潔スリッパ。
【請求項２】
前記取付具が、磁石であることを特徴とする請求項１に記載の清潔スリッパ。
【請求項３】
前記取付具が、ベルクロファスナーであることを特徴とする請求項１に記載の清潔スリッパ。
【考案の詳細な説明】
【技術分野】
【０００１】
本考案は、一般的に使用されているスリッパを清潔に維持する清潔スリッパに関するものである。
【背景技術】
【０００２】
スリッパは、一般家庭から病院、公共施設まで、あらゆる場面で使用されているものである。かかるスリッパを実際に使用していない状況において、一対のスリッパを並列させた状態で下駄箱やスリッパ立て等に保管・収納する場合は問題ないが、一般的には、収納スペースが狭いことから、一方のスリッパの先端部分を他方のスリッパのＡ部に差し入れて重ね合わせた状態にて保管・収納されている。確かに、かかる保管・収納によれば、収納スペースを確保することはできるが、その状況下にあって、使用により汚れている一方のスリッパの底面が他方のスリッパにおける足裏との接触面を汚してしまう結果となり、次に使う人にとって不衛生であって非常に不潔極まりない。また、スリッパ同士を重ね合わせる際に、手がスリッパ底面に触れる可能性があり、やはり衛生的に不潔である。
【０００３】
そしてまた、スリッパの保管・収納に関し、所定のケースに何個ものスリッパが投げ込まれ、きちんと対をなしていない状態で保管・収納されている場合もある。かかる保管・収納の状況においては、上記同様、収納スペースの確保は図れるが、使用により汚れているスリッパの底面が他のスリッパのあらゆる箇所に接触して汚してしまう結果となり、上記同様、次に使う人にとって不衛生であって非常に不潔である。さらに、スリッパを使おうとする人が所定のケースからスリッパを拾い上げる際においても、手が使用済みのスリッパ底面に触れる可能性があり、不衛生である。
【０００４】
【特許文献１】特開２００１−１１２８４５号公報
【特許文献２】実用新案登録第３０１３５７９号公報
【考案の開示】
【考案が解決しようとする課題】
【０００５】
上記問題点に鑑み、本考案は、一対のスリッパにおけるスリッパ底面同士を密着させてその状態を維持可能とすることで、収納スペースの確保を実現した清潔なスリッパを提供することを目的とする。
【課題を解決するための手段】
【０００６】
前記目的を達成するため、本考案は、各スリッパ底面に取付具を設けることで、一対のスリッパにおけるスリッパ底面同士を密着させてその状態が維持可能である構成となっている。
【０００７】
また、本考案は、前記取付具が磁石である構成とすることができる。
【０００８】
さらに、本考案は、前記取付具がベルクロファスナーである構成とすることもできる。
【考案の効果】
【０００９】
本考案にかかる清潔スリッパによれば、一対のスリッパにおけるスリッパ底面同士を密着させてその状態が維持可能であるため、スリッパにおける足裏との接触面を汚すことなく、衛生面において清潔にスリッパを保管・収納することが可能であり、また、一対のスリッパにおけるスリッパ底面同士を密着させる際においても、スリッパ底面に手が接触する心配がなく、非常に衛生的である。
【００１０】
さらに、本考案にかかる清潔スリッパによれば、スリッパ底面同士を密着させた状態が維持可能であることから、収納スペースの確保を実現するとともに、どのスリッパとどのスリッパが対をなすのかが一目瞭然となり、さらには、スリッパをバッグ等に入れての持ち運ぶ際においても、衛生的に持ち運ぶことが可能となる。
【考案を実施するための最良の形態】
【００１１】
本考案にかかる清潔スリッパ１は、各スリッパ底面２に取付具３を設けることで、一対のスリッパにおけるスリッパ底面２同士を密着させてその状態を維持可能としたことを最大の特徴とする。以下、本考案にかかる清潔スリッパ１の実施形態を図面に基づいて説明する。
【００１２】
図１は、本考案にかかる清潔スリッパ１を示す底面斜視図である。該清潔スリッパ１は、一対のスリッパにおける各スリッパ底面２に取付具３を設けた構造となっている。かかる構造とすることにより、図２に示すように、一対のスリッパにおけるスリッパ底面２同士を密着させることで、その状態を維持することが可能となっている。
【００１３】
本考案に使用されるスリッパの材質について、特に限定されるものではなく、一般に家庭などで使用される布生地製のスリッパや、一般に病院・施設などで使用されているビニール生地製のスリッパ等、種々のスリッパに採用可能である。その他、スリッパの形状等についても同様に限定するものではない。
【００１４】
各スリッパ底面２に設けられる取付具３については、種々のものを採用することが可能である。かかる取付具３として、例えば、図１に示すような磁石や、図４に示すようなベルクロファスナーなどが考えられ、その外にも、ＡやＢなども採用し得る。かかる取付具３は、清潔スリッパ１の使用状態において、スリッパ底面２と床面とが接触した際に違和感を与えぬよう、スリッパ内部に埋め込まれるように設けられていることが望ましい。
【００１５】
尚、図１では、取付具３としての磁石を一対のスリッパにおける各スリッパ底面２にそれぞれ二個づつ設けた構造について示しており、また、図４では、取付具３としてのベルクロファスナーを一対のスリッパにおける各スリッパ底面２にそれぞれ一つづつ設けた構造について示しているが、かかる構造に限定されるものではなく、すなわち、磁石の個数については、適宜決定すればよい。
【００１６】
また、図１においては、スリッパ底面２から磁石が視認可能な構造としているが、スリッパ底面２同士を密着させることで、その状態を維持することが可能であれば、該磁石をスリッパ内部に埋め込んだ状態でスリッパ底面２で視認不可であるように完全に隠してしまう構造とすることもできる。
【００１７】
図２は、上述した構造からなる本考案にかかる清潔スリッパ１について、スリッパ底面２同士を密着させる際の作用状態を示す状態説明図である。図２（ａ）で示すように、まず使用終了した一対の清潔スリッパ１をそれぞれ手で持ち、スリッパ底面２同士を近づけ密着させる。その際、それぞれのスリッパ底面２に設けられた取付具３同士が重なるように密着させることによって、図２（ｂ）に示すように、かかるスリッパ底面２同士が密着した状態のまま維持されることとなる。かかる状態が維持されることで、スリッパ底面２が清潔スリッパ１外周面に現れることがない。したがって、清潔スリッパ１の密着作業の際に、スリッパ底面２に手が接触することはなく、また、密着させた状態の清潔スリッパ１を持ち運ぶ際にもスリッパ底面２に手が接触することがなくなって、手が汚れず清潔で非常に衛生的である。
【００１８】
図３は、スリッパ底面２同士を密着させた状態に維持された本考案にかかる清潔スリッパ１の収納例を示す実施態様図である。すなわち、スリッパ底面２同士を密着させた状態の清潔スリッパ１を、図面に示すようにスリッパ立てＴに収納することで、衛生的で且つ収納スペースを確保しつつ収納することが可能となる。尚、スリッパ立てＴ以外に収納することが可能であることは、言うまでもない。
【００１９】
上記構造からなる本考案にかかる清潔スリッパ１によれば、手を汚さず且つ清潔にスリッパを保つことができ、また、収納スペースを充分に確保することが可能となって、さらには、持ち運びの際の利便性向上にも役立つといった、大変に優れた効果を奏する。
【図面の簡単な説明】
【００２０】
【図１】本考案にかかる清潔スリッパを示す底面斜視図である。
【図２】本考案にかかる清潔スリッパを示す状態説明図である。
【図３】本考案にかかる清潔スリッパを示す実施態様図である。
【図４】本考案にかかる清潔スリッパを示す底面斜視図である。
【符号の説明】
【００２１】
１    清潔スリッパ
２    スリッパ底面
３    取付具
Ｔ    スリッパ立て
【図１】
0003115585.tif 000003
【図２】
0003115585.tif 000004
【図３】
0003115585.tif 000005
【図４】
0003115585.tif 000006